(57)【要約】【課題】焦点距離の異なる複数の光学系を有する撮像装置において、各光学系に設定されている撮影条件の表示を可能にすること。【解決手段】撮像装置は、異なる焦点距離の複数の光学像を同時に撮像する撮像手段と、複数の光学像を撮像するための撮影条件を表示する表示手段と、表示手段による撮影条件の表示を操作する操作手段と、複数の光学像を撮像するための撮影条件を撮像手段から取得し、表示手段による取得した撮影条件の表示を制御する制御手段とを備え、撮影条件の表示は、複数の光学像を撮像するための撮影条件を異なる焦点距離と対応付ける表示を含み、撮影条件の表示は、操作手段による操作が可能なように、制御手段により撮影条件の値に基づいて制御されている。【選択図】図１
2015159483.tif 000002
【特許請求の範囲】
【請求項１】
異なる焦点距離の複数の光学像を同時に撮像する撮像手段と、
前記複数の光学像を撮像するための撮影条件を表示する表示手段と、
前記表示手段による撮影条件の表示を操作する操作手段と、
前記複数の光学像を撮像するための撮影条件を前記撮像手段から取得し、前記表示手段による前記取得した撮影条件の表示を制御する制御手段と、
を備え
前記撮影条件の表示は、前記複数の光学像を撮像するための撮影条件を異なる焦点距離と対応付ける表示を含み、前記撮影条件の表示は、前記操作手段による操作が可能なように、前記制御手段により前記撮影条件の値に基づいて制御されていることを特徴とする撮像装置。
【請求項２】
前記制御手段による前記撮影条件の表示の制御は、前記異なる焦点距離ごとに前記操作手段による操作を可能とする制御と、前記撮影条件の表示に対応する撮影条件の値を表示する制御を含むことを特徴とする請求項１に記載の撮像装置。
【請求項３】
前記制御手段による前記撮影条件の表示の制御は、前記操作手段による前記撮影条件の表示の操作に従って、前記複数の光学像を撮像するための撮影条件の値を変更し、変更された値に従って前記操作された表示の撮影条件の値の表示を変更する制御を含むことを特徴とする請求項２に記載の撮像装置。
【請求項４】
前記制御手段による前記撮影条件の表示の制御は、前記複数の焦点距離のうち、所定の焦点距離に対応付けられた撮影条件の表示を複数表示する制御を含み、前記異なる表示は、異なる表示形態を有することを特徴とする請求項１から３のいずれか一項に記載の撮像装置。
【請求項５】
前記制御手段による前記撮影条件の複数の表示の制御は、前記撮影条件の複数の表示のうちの一つを前記操作手段による操作が不可である表示とし、他の一つを前記操作手段による操作が可能である表示とし、前記操作手段による操作が可能な表示が操作されたことに従って、前記光学像を撮像するための撮影条件の値を変更する制御を含むことを特徴とする請求項４に記載の撮像装置。
【請求項６】
前記制御手段による前記撮影条件の複数の表示の制御は、前記操作手段による操作が可能な表示が操作されたことに従って、前記操作が可能な表示の表示形態を変更する制御を含むことを特徴とする請求項５に記載の撮像装置。
【請求項７】
前記操作手段による操作が不可である表示および可能である表示は、前記所定の焦点距離について設定できない撮影条件の値に関する表示および設定可能な値の最大値に関する表示の組であることを特徴とする請求項５又は６に記載の撮像装置。
【請求項８】
前記制御手段による前記撮影条件の表示の制御は、前記光学像を撮像するための撮影条件の値に基づいて、前記撮影条件が前記光学像の撮影画像に与える影響を判定し、判定の結果に従って前記影響を表わす表示を行う制御を含むことを特徴とする請求項１から７のいずれか一項に記載の撮像装置。
【請求項９】
前記制御手段による前記撮影条件の表示の制御は、前記撮影条件の表示が前記操作手段により操作されたことに従って、前記表示が操作された撮影条件の値に基づいて前記影響を表わす表示を行う制御を行い、判定の結果に従って前記影響を表わす表示を変更することを含むことを特徴とする請求項８に記載の撮像装置。
【請求項１０】
前記異なる焦点距離の複数の光学像の撮影条件を同一にして前記撮像手段による撮像を行う第１のモードと、前記異なる焦点距離の複数の光学像の撮影条件のそれぞれを変更可能として撮像を行う第２のモードを有し、前記制御手段は、前記第２のモードにおいて、前記撮影条件の表示の制御を行うことを特徴とする請求項１から９のいずれか一項に記載の撮像装置。
【請求項１１】
前記操作手段は、少なくとも前記撮像装置に設けられた操作部材および前記表示手段に設けられた操作部材のいずれかを含むことを特徴とする請求項１から１０のいずれか一項に記載の撮像装置。
【請求項１２】
前記撮影条件は、シャッタ速度および絞り値の少なくとも一つを含むことを特徴とする請求項１から３のいずれか一項に記載の撮像装置。
【請求項１３】
異なる焦点距離の複数の光学像を同時に撮像する撮像手段を有する撮像装置の制御方法であり、
前記複数の光学像を撮像するための撮影条件を表示手段に表示する表示ステップと、
前記表示手段による撮影条件の表示を操作手段により操作する操作ステップと、
前記複数の光学像を撮像するための撮影条件を前記撮像手段から取得し、前記表示ステップでの前記取得した撮影条件の表示を制御する制御ステップと、
を備え
前記制御ステップは、前記複数の光学像を撮像するための撮影条件を異なる焦点距離と対応付けて前記取得した撮影条件を表示し、前記撮影条件の値に基づいて、前記取得した撮影条件の表示を前記操作手段による操作が可能なように制御することを特徴とする制御方法。
【請求項１４】
請求項１３の制御方法をコンピュータに実行させるためのプログラム。
【請求項１５】
請求項１３の制御方法をコンピュータに実行させるためのプログラムを格納したコンピュータが読み取り可能な記憶媒体。
【発明の詳細な説明】
【技術分野】
【０００１】
本発明は、デジタルカメラに代表される撮像装置に関し、特に焦点距離の異なる複数の光学系を有する撮像装置およびその制御方法に関する。
【背景技術】
【０００２】
従来から、ビデオカメラ、デジタルカメラのような撮像装置には、薄型化および高変倍比が求められている。従来の一般的な撮像系においては、光学系の収差の発生を抑え、所望の光学性能を満足させるため、複数の光学レンズを組み合わせることにより光学系を構成している。このような光学系において、小型化を図るためにはイメージサイズを小さくし、光学系の口径を小さくすることが考えられる。しかしながら、解像度を維持しつつイメージサイズを小さくすることは困難である。
【０００３】
これに対して、光学系を複数に分割することにより小型の光学系を実現する複眼撮像装置が提案されている。複数の画角の異なるレンズユニットを用意し、それぞれのレンズユニットに対して撮像素子を設け、複数の画角を撮影可能にしたもので、各レンズユニットを小径化及び短焦点距離化して光学系を小型化する構成が知られている。
【０００４】
しかしながら、前記複眼撮像装置において、各レンズに設定されている撮影条件、つまり、複数の撮影条件を背面液晶等の撮影条件表示画面に表示することで、撮影に際しての利便性を向上する表示技術が確立されていない。例えば、ユーザーが手ブレ限界となっている撮影条件を撮影前に知ることが出来れば、これを回避して手ブレの影響のない画像の撮影が可能になるので、撮像装置の利便性が向上する。
【０００５】
ところで、背面液晶等に複数の撮影情報を表示する例が、例えば特許文献１に開示されている。特許文献１では、主被写体候補と決定された被写体の被写体情報に基づき、主被写体候補ごとに、各主被写体候補に適した撮影条件である候補撮影条件を決定することが開示されている。
【先行技術文献】
【特許文献】
【０００６】
【特許文献１】特許第５０２９７６５号公報
【発明の概要】
【発明が解決しようとする課題】
【０００７】
しかしながら、特許文献１においては、複数の結像光学系に対応した撮影条件の表示という概念がないので、結像光学系毎の表示が出来ず、様々な輝度での撮影シーンで不便であった。
【０００８】
そこで、本発明の目的は、各結像光学系に設定されている撮影条件を背面液晶等の撮影条件表示画面に表示し、その設定の変更等を可能にすることで、撮影における利便性が向上した撮像装置を提供することである。
【課題を解決するための手段】
【０００９】
本発明によれば、撮像装置は、異なる焦点距離の複数の光学像を同時に撮像する撮像手段と、複数の光学像を撮像するための撮影条件を表示する表示手段と、表示手段による撮影条件の表示を操作する操作手段と、複数の光学像を撮像するための撮影条件を撮像手段から取得し、表示手段による取得した撮影条件の表示を制御する制御手段とを備え、撮影条件の表示は、複数の光学像を撮像するための撮影条件を異なる焦点距離と対応付ける表示を含み、撮影条件の表示は、操作手段による操作が可能なように、制御手段により撮影条件の値に基づいて制御されている。
【発明の効果】
【００１０】
本発明によれば、各結像光学系に設定されている撮影条件を背面液晶等の表示画面に表示し、その設定の変更等を可能とすることで、撮影における利便性が向上した撮像装置を提供することが出来る。
【図面の簡単な説明】
【００１１】
【図１】本発明の第１の実施例に係わる撮像装置のブロック図
【図２】図１の撮像装置が有する撮像ユニットの斜視図
【図３】図２に示した撮像ユニットの正面図
【図４】本発明の第１の実施例に係わる撮像装置の背面図
【図５】図２の撮像ユニットで得られる撮影画像の例を示す図
【図６】本発明の第１の実施例に係わる撮像装置における撮影時の表示例を示す図
【図７】本発明の第１の実施例に係わる撮像装置の撮影時の動作のフローチャートを示す図
【図８】本発明の第１の実施例に係わる撮像装置における撮影時の撮影条件の表示例を示す図
【図９】本発明の第１の実施例の変形例に係わる撮影条件の表示例を示す図
【図１０】本発明の第１の実施例の更なる変形例に係わる撮影条件の表示例を示す図
【発明を実施するための形態】
【００１２】
［実施例１］
以下、図１から図８を参照して、本発明の第１の実施例に係わる撮像装置について説明する。
【００１３】
図１は、本実施例に係わる撮像装置１００のブロック図、図２は、本実施例の撮像装置１００が有する撮像ユニット１１０の斜視図、図３は、当該撮像ユニット１１０の正面図、図４は撮像装置１００の背面図である。なお、図において、同様の構成要素については同じ符号を付し示す。また、撮像装置１００は、図１に示すようにレンズ一体型の撮像装置でも良いし、結像光学系（撮影光学系）を有するレンズ装置と、レンズ装置が着脱可能に装着されて撮像素子を有する撮像装置本体から構成されても良い。
【００１４】
カメラシステムとしての撮像装置１００は、撮像系、画像処理系、記録再生系、制御系を有する。撮像系は、後述する結像光学系と撮像素子を含む撮像ユニット１１０を含み、画像処理系は、画像処理部１２０を含む。また、記録再生系は、メモリ１９７、表示部１７０を含み、制御系は、ＣＰＵ１３５、撮像制御部１４０、レンズ駆動手段であるフォーカス群電圧ドライバ１４１およびフォーカス群駆動部１４２を含む。なお、制御系は、さらにレンズ駆動制御を統括的に制御するレンズＣＰＵおよびレンズ駆動手段としてのズームレンズ駆動部を含んでもよいが、これらは図示されていない。
【００１５】
図１において、撮像装置１００は、撮像ユニット１１０、Ａ／Ｄ変換器１５０、画像処理部１２０、ＣＰＵ１３５、撮像制御部１４０、画像記録媒体１６０、表示部１７０、距離情報算出部１８０を有する。
【００１６】
図２に示すように、撮像ユニット１１０は、それぞれが被写体の光学像を形成する８つの結像光学系１１１ａ、１１１ｂ、１１２ａ、１１２ｂ、１１３ａ、１１３ｂ、１１４ａ、１１４ｂを有する。また、複数の結像光学系のそれぞれに対応して、複数の撮像素子１３０ａ〜１３０ｈを備える。なお、図１に示す撮像ユニット１１０は、結像光学系１１１ａと１１４ａの光軸を含む断面図である。また、各結像光学系は、不図示の絞りなどの他の部材を含んでいる。
【００１７】
各結像光学系は、フォーカス群ユニット１０５Ｆと、後群ユニット１０５Ｒとを有し、フォーカス群ユニット１０５Ｆと後群ユニット１０５Ｒは、それぞれフォルダ１１０および１１６によって一体に保持されている。これにより、フォーカス群ユニット１０５Ｆは、超音波モータやステッピングモータを駆動源とするフォーカス群駆動部１４２によって、フォーカシング時に一体的に同じ量だけ光軸方向に駆動可能である。また、後群ユニット１０５Ｒはフォーカシング時には固定されている。
【００１８】
フォーカス群電圧ドライバ１４１は、フォーカス群駆動部１４２を駆動制御する電圧を発生する。フォーカス位置検出部１４３は、光軸Ｉに沿ったフォーカス群ユニット１０５Ｆの位置を検出するフォーカスエンコーダである。フォーカス位置検出部１４３は、被写体距離に応じたパルス信号を撮像制御部１４０に出力する。
【００１９】
撮像制御部１４０は、フォーカス群駆動部１４２を制御し、例えばユーザーの撮像装置１００のレリーズスイッチ１９１の操作により検出された被写体距離に対応する光軸Ｉ上の位置にフォーカス群ユニット１０５Ｆが駆動されるように追従制御を行う。また撮像制御部１４０は、フォーカス位置検出部１４３が出力するパルス信号を取り込み、被写体距離に対応する光軸Ｉ上の位置（目標位置）、フォーカス群ユニット１０５Ｆの現在位置情報などに基づいて駆動信号を演算する。この駆動信号は、フォーカス群電圧ドライバ１４１に出力される。
【００２０】
フォーカス群電圧ドライバ１４１は、入力された駆動信号（駆動電圧）に応じて、フォーカス群駆動部１４２に電力を供給するドライバ部である。フォーカス群電圧ドライバ１４１は、駆動信号に対し、スイッチングを行い、フォーカス群駆動部１４２に電圧を印加し、フォーカス群駆動部１４２を駆動する。
【００２１】
撮像ユニット１１０において、結像光学系１１１ａ、１１４ａは複眼を構成し、撮像素子１３０ａ、１３０ｅは、それぞれ結像光学系１１１ａ、１１４ａを介して撮像素子面上に形成された光学像を電気信号（アナログ信号）に変換する。Ａ／Ｄ変換部１５０は、撮像素子１３０ａ〜ｈから出力されるアナログ信号をデジタル信号に変換して画像処理部１２０に供給する。
【００２２】
画像処理部１２０は、Ａ／Ｄ変換器１５０からの各画像データに対して所定の画素補間処理や色変換処理等を行い、また、撮像した各画像データを用いて所定の演算処理を行う。画像処理部１２０が処理した結果は、ＣＰＵ１３５に送信される。また画像処理部１２０は、超解像処理部１２１、画像合成部１２２、ボケ付加部１２３、被写体除去部１２４を有する。
【００２３】
超解像処理部１２１は、後述する複数画像を用いた画像の高解像度化処理を行う。画像合成部１２２は、複数の画像から画像特性が異なる一つの合成画像を生成し、例えば、ノイズレベルを下げる、ハイダイナミックレンジ画像を作成する等の処理を行う。ここで、画像特性とは、画像のダイナミックレンジ、解像度、ボケ量、画角、撮影された被写体の除去率の何れかである。
【００２４】
ボケ付加部１２３は、後述する距離情報取得手法によって得られた距離情報に基づいて画像にボケ付加を行う。被写体除去部１２４は、例えば、距離情報に基づいて撮影者が不要だと指定する主要被写体以外の背景を除去した画像を得る。
【００２５】
ＣＰＵ１３５は、撮像装置１００全体の種々の制御を行う中央処理部であり、供給されたデータに基づき撮像制御部１４０を制御する。
【００２６】
またＣＰＵ１３５には、レリーズスイッチ１９１の情報が入力され、レリーズスイッチ１９１が半押し、又は、全押しされたことを検知する。これにより、撮像素子１３０の駆動、画像処理部１２０の動作、メモリ１９７の圧縮処理などを制御する。さらに後述の表示部１７０によって液晶モニタ等への情報表示を制御する。
【００２７】
また、ＣＰＵ１３５から入力される各結像光学系の絞り値、シャッタ速度等の撮影条件の数値に応じて、撮像制御部１４０は、前述のフォーカス群ユニット１０５Ｆの移動量の制御以外に、不図示の絞りの制御や撮像素子を制御することで必要な画像の取得を行う。なお、各フォーカス群は、異なる焦点距離を有する複数の結像光学系においてフォーカシング移動量を同一とするための光学条件式を満足しているが、本発明の主旨とは異なるので、その詳細を省略する。よって、撮像制御部１４０で制御されたフォーカス群ユニット１０５Ｆの位置で撮影することによって、一度の制御により異なる被写体空間範囲（画角）と同一の画角の複数の合焦画像を取得する。
【００２８】
画像記録媒体１６０は、複数の静止画や動画を格納する他、画像ファイルを構成する場合のファイルヘッダを格納する。
【００２９】
表示部１７０は撮像装置１００の背面に取り付けられており、使用者は表示部１７０に表示される画像や撮像装置１００の撮影条件の設定状態、またはエラー等の表示を直接観察出来るようになっている。
【００３０】
表示部１７０を、有機ＥＬ空間変調素子や液晶空間変調素子、微粒子の電気泳動を利用した空間変調素子などで構成すれば、消費電力を小さくでき、かつ表示部１７０の薄型化を図ることが出来る。これにより、撮像装置１００の省電力化および小型化を図ることが出来る。また、表示部１７０の表面を直接操作できるように構成することにより（例えば、タッチパネル）、後述するように、撮像装置１００の撮影条件の設定が変更できる構成としても良い。
【００３１】
距離情報算出部１８０は、基準画像選択部１８１、対応点抽出部１８２、視差量算出部１８３を有する。基準画像選択部１８１は、各結像光学系によって結像された複数の視差画像から基準画像を選択する。対応点抽出部１８２は、視差画像内の対応する画素を抽出する。視差量算出部１８３は、抽出された全ての対応点の視差量を夫々算出し、距離情報算出部１８０はその算出された視差量から画像内の被写体距離情報を算出する。
【００３２】
レリーズスイッチ１９１は、前述の通り、図示しないレリーズボタンの半押し動作（ＳＷ１のＯＮ）と全押し動作（ＳＷ２のＯＮ）を検出するスイッチである。ＳＷ１のＯＮを検出して、一連の撮影準備動作（測光動作や焦点調節動作等）を開始させ、ＳＷ２のＯＮを検出して、撮影動作（撮像素子１３０から読み出された画像データの記録媒体への記録）を開始させるスイッチである。
【００３３】
１９２は、任意方向の操作が可能な選択スイッチ(操作部材)で、不図示の公知の撮影メニューの項目を選択したり、後述するように、ユーザーが撮影条件を決定する結像光学系を選択したりする時に用いるスイッチである。１９３は決定スイッチで、不図示の公知の撮影メニューの決定をしたり、後述するように、ユーザーが撮影条件を決定したりする時に用いるスイッチである。
【００３４】
１９５は撮像装置１００を起動させるためのメインスイッチである。１９６は撮像装置１００の撮影モードを設定するためのモードスイッチで、後述する「撮影条件個別設定モード」を設定することが出来る。
【００３５】
１９７はメモリで、実際の記憶部に加えて記録に必要な処理回路を備えている。メモリ手段は、記録部へ出力を行うとともに、表示部１７０に出力する画像を生成、保存する。
【００３６】
また、メモリ１９７ は、予め定められた方法を用いて画像、動画、音声などの圧縮を行う際の作業領域としても用いられる。
【００３７】
次に、撮像ユニット１１０についてさらに詳しく説明する。
【００３８】
図２に示すように、撮像ユニット１１０は、複数の撮像素子１３０ａ〜ｆが一体で保持された撮像素子ユニット２００を有する。撮像素子１３０ａは結像光学系１１１ａに対応し、撮像素子１３０ｂは結像光学系１１２ａに対応し、撮像素子１３０ｃは結像光学系１１１ｂに対応し、撮像素子１３０ｄは結像光学系１１２ｂに対応する。また、撮像素子１３０ｅは結像光学系１１４ａに対応し、撮像素子１３０ｆは結像光学系１１３ａに対応し、撮像素子１３０ｇは結像光学系１１４ｂに対応し、撮像素子１３０ｈは結像光学系１１３ｂに対応する。
【００３９】
なお撮像素子１３０ａ〜ｈは、具体的には、増幅型固体撮像素子の１つであるＣＭＯＳプロセスコンパチブルのセンサ（以降ＣＭＯＳセンサと略す）である。ＣＭＯＳセンサは、エリアセンサ部のＭＯＳトランジスタと撮像装置駆動回路、ＡＤ変換回路、画像処理回路といった周辺回路を同一工程で形成できることを特徴の一つとするため、マスク枚数、プロセス工程がＣＣＤと比較して大幅に削減できる利点を有する。
【００４０】
図３に示すように、８つの結像光学系１１１ａ、１１２ａ、１１３ａ、１１４ａ、１１１ｂ、１１２ｂ、１１３ｂ、１１４ｂの光軸はほぼ平行になるように配置されている。
【００４１】
また同一の参照番号を付された２つの結像光学系ａ、ｂは同一の焦点距離を有し、本実施形態では、異なる焦点距離を有する４組の結像光学系が設けられている。
【００４２】
結像光学系１１１ａ、１１１ｂは、８つの結像光学系の中で最も短い焦点距離を有する広角結像光学系の対である。結像光学系１１２ａ、１１２ｂは、結像光学系１１１ａ、１１１ｂに比べて焦点距離が長い結像光学系の対である。結像光学系１１３ａ、１１３ｂは、結像光学系１１２ａ、１１２ｂよりも焦点距離が長い結像光学系の対である。
結像光学系１１４ａ、１１４ｂは結像光学系１１３ａ、１１３ｂよりも焦点距離が長い結像光学系の対である。
【００４３】
なお、図３では、結像光学系１１１ａ、１１１ｂの焦点距離を３５ｍｍ、結像光学系１１２ａ、１１２ａの焦点距離を７５ｍｍ、結像光学系１１３ａ、１１３ｂの焦点距離を１５０ｍｍ、そして結像光学系１１４ａ、１１４ｂの焦点距離を３００ｍｍとする。
【００４４】
図５は、結像光学系１１１ａ、１１２ａ、１１３ａ、１１４ａに対応する撮像画像５１１ａ、５１２ａ、５１３ａ、５１４ａの例を示す。同図に示すように、結像光学系１１１ａに対応する撮像画像５１１ａが最も広い被写体空間であり、結像光学系１１２ａ、１１３ａ、１１４ａに対応する撮像画像５１２ａ、５１３ａ、５１４ａは、焦点距離に応じて撮像される被写体空間が狭くなっている。
【００４５】
次に、本実施例に係わる表示部１７０での表示構成について説明する。
【００４６】
図６は、本実施例に係わる撮像装置１００における、いわゆるライブビュー撮影時に表示部１７０に表示される被写体像の表示を含む表示画面の例を示した図である。
【００４７】
同図において、表示部１７０には、第１の表示エリア６７０ａと第２の表示エリア６７０ｂを含み、第１の表示エリア６７０ａは、被写体像の表示エリア６１０と撮影条件決定エリア６２０を含む。撮影条件決定エリア６２０は、後述の各結像光学系１１１ａ〜１１４ｂの撮影条件及び該撮影条件で撮影した結果得られる撮影画像に対する撮影条件の影響を示唆する画像（結果インジケータと記す）等を表示する。第２の表示エリア６７０ｂは、撮影条件（シャッタ速度、絞り値、ＩＳＯ感度等）や電池残量表示等の撮影情報を表示する。なお、図６に示したように、表示エリア６７０ａ内に、被写体像６１０と撮影条件決定エリア６２０とが重ならないように表示されているが、被写体像６１０に重ねるように撮影条件決定エリア６２０を表示しても良い。
【００４８】
撮影条件決定エリア６２０は、結像光学系１１１ａ、１１２ａ、１１３ａ、１１４ａに対応する焦点距離が表示された焦点距離エリア６２１を含む。また、結像光学系１１１ａ、１１２ａ、１１３ａ、１１４ａの撮影条件（本実施例の表示例では、シャッタ速度）を設定するためのインジケータ６２２、上述の結果インジケータ６２３を表示する。
【００４９】
インジケータ６２２は、表示位置に従って撮影条件の値を設定するために操作可能な、例えば図示するような所定のアイコンとして表示し、操作は選択スイッチ１９２の操作、又は表示部１７０へのタッチ操作（タッチパネル）などによるものとする。また、各結像光学系１１１ａ、１１２ａ、１１３ａ、１１４ａの焦点距離は、前述のように、順に３５ｍｍ、７５ｍｍ、１５０ｍｍ、３００ｍｍとしているので、それらの表示は表示６２１ａ，６２１ｂ、６２１ｃ、６２１ｄとなる。さらには、インジケータ６２２の位置に応じて、設定される撮影条件の設定値を表示し、操作による移動に応じて適宜変更して表示することで設定を容易とすることも可能である。その場合、設定値の表示形態は、数値に限られるものでなく、色の濃淡など、必要に応じて適宜決定してよい設計的事項である。
【００５０】
このように、結像光学系１１１ａ、１１２ａ、１１３ａ、１１４ａの撮影条件が焦点距離順に並んで表示されていることにより、焦点距離の変化に伴う撮影条件およびその撮影画像への影響がすぐに分かるので、撮像装置の利便性が向上する。
【００５１】
なお、図６の表示例では、結果インジケータ６２３を、被写体像６１０が設定された撮影条件で撮影された場合の画像の振れを示唆するものとしている。よってユーザーは、焦点距離毎に設定された撮影条件で、どの程度の振れの影響が出た撮影結果が得られるのか、撮影前に確認することが出来るので、撮像装置の利便性が向上する。なお図６において、３段階の撮影画像の振れの程度を示唆する結果インジケータ６２３が例示されているが、これらの表示構成については、後述する。
【００５２】
次に、図６に示した表示動作を含む本実施例に係わる撮像装置の撮影処理動作を、図７のフローチャートを用いて説明する。本実施例に係わる撮像装置は、異なる焦点距離の複数の光学像の撮影条件を同一にして撮像ユニットで撮像を行う第１のモードと、異なる焦点距離の複数の光学像の撮影条件のそれぞれを変更可能として撮像を行う第２のモードを有する。本発明に係わる表示制御は、第２のモードにおいて実行される。
【００５３】
図７は、本実施例に係わる撮像装置１００の撮影動作のフローチャートを示す。この動作は、ＣＰＵ１３５によって制御される。
【００５４】
ステップ（以下、Ｓとする）７０１では、メインスイッチ１９５がＯＮになっているかどうかをＣＰＵ１３５が判定する。判定の結果、メインスイッチ１９５がＯＦＦのままであれば、撮像装置１００はスリープ状態のままであり、メインスイッチ１９５がオンするのを待つ。メインスイッチ１９５がＯＮになれば、Ｓ７０２に進む。
【００５５】
Ｓ７０２では、撮像装置１００が、第２のモードである「撮影条件個別設定モード」になっているかどうかをＣＰＵ１３５が判定する。その結果、「撮影条件個別設定モード」になっている場合（Ｙｅｓの場合）は、Ｓ７０３に進む。また、「撮影条件個別設定モード」になっていない場合（Ｎｏの場合）には、各結像光学系１１１ａ、１１２ａ、１１３ａ、１１４ａの撮影条件を同一にして撮影することになるので（第１のモード）、Ｓ７２０に進む。なお、Ｓ７２０の撮像装置１００の処理動作は、本発明の主旨とは異なるので、その詳細は省略する。
【００５６】
Ｓ７０３では、ＣＰＵ１３５が、ユーザーによって現在設定されている絞り値やシャッタ速度等の撮影条件を取得して確認する。
【００５７】
Ｓ７０４では、Ｓ７０３でＣＰＵ１３５が取得して確認した各撮影条件を表示部１７０に表示する。
【００５８】
ここでの表示構成を、図８に示した表示例を用いて説明する。なお、同図は撮影条件決定エリア６２０のみを示し、図６と同様の部分には同じ符号を付して示してある。また、図６に示されている「設定値」、「焦点距離」等の表示は省略してある。図８に示すように、撮影条件決定エリア６２０には、インジケータ６２２（６２２ａ〜６２２ｄ）と結果インジケータ６２３（６２３ａ、６２３ｂ、６２３ｃ）が表示される。これらは、焦点距離エリア６２１に表示された各結像光学系１１１ａ、１１２ａ、１１３ａ、１１４ａの焦点距離の表示６２１ａ毎に表示される。
【００５９】
Ｓ７０５では、ＣＰＵ１３５が、ユーザーによって撮像装置１００の撮影条件が変更されたかどうかを判定する。具体的には、ユーザーが選択スイッチ１９２を用いて撮影条件を変更するインジケータ６２２を選択し、その後、決定スイッチ１９３を用いて撮影条件を変更するインジケータ６２２（例えば、６２２ｄ）を決定する。次いで、再び選択スイッチ１９２と決定スイッチ１９３を用いて撮影条件（図８（ａ）に示した例では、シャッタ速度）が変更されたかどうかの確認をＣＰＵ１３５が行う。もしくは、前述のように、表示部１７０の表面を直接操作することにより、インジケータ６２２を操作して撮影条件を変更しても良い。
【００６０】
Ｓ７０５において、ＣＰＵ１３５は、撮影条件が変更された場合（Ｙｅｓの場合）はＳ７３０に進み、撮影条件が変更されていない場合（Ｎｏの場合）は、Ｓ７０６に進む。
【００６１】
以下、Ｓ７０５で、結像光学系１１４ａ、１１４ｂの撮影条件を決定するインジケータ６２２ｄが操作されて、撮影条件であるシャッタ速度が１／１２５秒から１／５００秒に変更された場合を例にして、以後の撮影処理動作を説明する。
【００６２】
Ｓ７３０では、ユーザーが変更したシャッタ速度（Ｔｖ）が、撮影条件が変更された結像光学系１１４ａ、１１４ｂの焦点距離（ｆ）である３００ｍｍの逆数１／ｆ（＝１／３００となる）よりも大きいかどうかをＣＰＵ１３５が判定する。
【００６３】
ユーザーが設定したシャッタ速度が焦点距離の逆数よりも大きい場合は、Ｓ７４０に進み、また、ユーザーが設定したシャッタ速度が焦点距離の逆数よりも小さい場合は、Ｓ７３１に進む。ここでは、ユーザーが結像光学系１１４ａ、１１４ｂの撮影条件のシャッタ速度の設定が１／５００秒に変更されとしているので、Ｓ７３０での判定の結果、Ｓ７３１に進む。つまり、図８（ｂ）に示すように、ユーザーがインジケータ６２２ｄを操作して８２２ｅの位置に設定することにより、シャッタ速度の設定が１／５００秒に変更になったとする。
【００６４】
ユーザーが設定したシャッタ速度が焦点距離の逆数よりも小さい場合は、撮影画像での手振れの影響はほとんどなくなる。よって、Ｓ７３１において、結果インジケータ６２３を、手振れの影響の発生を示唆する結果インジケータ６２３ｃから、手振れの影響がほとんどないことを示唆する結果インジケータ６２３ａに変更し、Ｓ７０５に戻る。これによりユーザーは、撮影条件であるシャッタ速度を変更することで、結像光学系１１４ａ、１１４ｂで結像した被写体の光学像の撮影画像が手振れの影響がないものになることが撮影前に視覚的に分かるので、撮像装置の利便性が向上する。
【００６５】
Ｓ７４０では、ユーザーが変更したシャッタ速度（Ｔｖ）が、撮影条件が変更された結像光学系１１４ａ、１１４ｂの焦点距離（ｆ）である３００ｍｍの逆数１／ｆ（＝１／３００となる）の２倍よりも大きいかどうかをＣＰＵ１３５が判定する。ユーザーが設定したシャッタ速度が焦点距離の逆数の２倍よりも大きい場合は、Ｓ７５０に進み、また、ユーザーが設定したシャッタ速度が焦点距離の逆数の２倍よりも小さい場合は、Ｓ７４１に進む。ここでは、ユーザーが結像光学系１１４ａ、１１４ｂの撮影条件のシャッタ速度の設定を１／１２５秒から１／２００秒に変更したと仮定して、Ｓ７４１に進む。
【００６６】
Ｓ７４１では、ユーザーが設定したシャッタ速度が焦点距離の逆数の２倍よりも小さいので、同じ焦点距離において、設定値が１／１２５秒の場合に比べて手振れの影響が軽減される。よって、結果インジケータ６２３を、手ブレの影響が発生する結果インジケータ６２３ｃから、手振れの影響が軽減されることを示唆する結果インジケータ６２３ｂに変更して、Ｓ７０５に戻る。
【００６７】
これによりユーザーは、撮影条件であるシャッタ速度を変更した場合、変更量に基づいて結果インジケータ６２３ｂの表示が変更される。その結果、結像光学系１１４ａ、１１４ｂで結像した撮影画像に対する手振れの影響が変化することが撮影前にユーザーが視覚的に分かるため、撮像装置の利便性が向上する。
【００６８】
Ｓ７５０は、ユーザーが設定したシャッタ速度が結像光学系１１４ａ、１１４ｂの焦点距離の逆数の２倍よりも大きい場合の処理動作であり、結像光学系１１４ａ、１１４ｂの撮影画像に対して手振れの影響が現れると判断された場合の処理動作である。従って、結果インジケータ６２３を手振れの影響が発生する結果インジケータ６２３ｃにして、Ｓ７０５に戻る。
【００６９】
Ｓ７０６では、レリーズスイッチ１９１の半押し動作が行われたかどうかをＣＰＵ１３５が判断する。判断の結果、半押し動作が行われた場合は（Ｙｅｓ）、Ｓ７０７に進み、行われていなかった場合は（Ｎｏの場合）、Ｓ７０５に戻る。
【００７０】
Ｓ７０７では、撮像素子１３０が取得した画像情報から被写体の測光と、前述の視差量算出部１８３を動作させることにより、被写体までの距離を算出する。あるいは、不図示の測光手段や測距手段を撮影装置１００が有し、該測光手段と測距手段を動作させることにより、被写体の測光と測距を行っても良い。
【００７１】
Ｓ７０８では、Ｓ７０７の演算結果をＣＰＵ１３５から撮像制御部１４０が受け取ってフォーカス群ユニット１０５Ｆをフォーカス群駆動部１４２により駆動し、Ｓ７０７で求まった被写体が合焦状態となる位置にフォーカス群ユニット１０５Ｆを移動する。Ｓ７０９では、被写体に合焦した画像を撮影前のプレビュー画像として表示部１７０に表示する。
【００７２】
Ｓ７１０では、レリーズスイッチ１９１が全部押し込まれたか（ＳＷ２がオンになったかどうか）の判断をＣＰＵ１３５が行う。ＮｏならばＳ７０５に戻り、一連の動作を繰り返す。ＹｅｓならばＳ７１１に進む。
【００７３】
Ｓ７１１では、公知の撮影動作を行う。Ｓ７１２では、撮像素子１３０に結像した被写体像を、公知の画像処理技術を経て画像処理部１２０で処理した記録画像として表示部１７０に表示する。Ｓ７１３では、メモリ１９７もしくは画像記録媒体１６０に記録する。
【００７４】
Ｓ７１４では、レリーズスイッチ１９１が全部押し動作が継続されているかどうか、つまり、ＳＷ２がＯＦＦになっているかどうかをＣＰＵ１３５が判定する。レリーズスイッチ１９１の全押し動作が継続している、つまりＳＷ２がＯＮになっている場合（Ｙｅｓ）であれば、Ｓ７１１に戻り、一連の撮影動作を繰り返す。ＯＮになっていない場合は（Ｎｏ）、Ｓ７１５に進む。
【００７５】
Ｓ７１５では、レリーズスイッチ１９１の半押し動作が継続されているかどうか、つまり、ＳＷ１がＯＦＦになっていないかどうかをＣＰＵ１３５が判定する。レリーズスイッチ１９１の半押し動作が継続している、つまりＳＷ１がＯＮになっている場合（Ｙｅｓ）であればＳ７０７に戻り、Ｓ７０７からＳ７１５までのシーケンスを繰り返す。
【００７６】
一方、Ｓ７１５において、ＳＷ１がＯＦＦになった場合、つまり撮影が終わった場合（Ｎｏ）であればＳ７１６に進む。Ｓ７１６では、メインスイッチ１９５がＯＦＦになったかどうかをＣＰＵ１３５が判断する。ＮＯの場合はＳ７０１に戻って一連の撮影動作を行う。Ｓ７１６でＹＥＳの場合は、撮影動作を終了する。
【００７７】
以上説明したように、本実施例によれば、ユーザーは、表示されたインジケータ６２２ａ〜６２２ｄを操作することにより、結像光学系１１１ａ〜１１４ａの撮影条件を個別に変更／設定することが可能となる。
【００７８】
つまり、異なる焦点距離の複数の光学像を同時に撮像する撮像手段を有する撮像装置であって、各光学像の撮像のために設定されている撮影条件を撮影条件表示画面に表示可能にすることで、利便性が向上した撮像装置を提供することが出来る。
【００７９】
また、結像光学系１１１ａ〜１１４ａの撮影条件を変更すると、それに応じて結果インジケータ６２３の表示形態が変わるので、ユーザーは撮影条件を変更した時の撮影結果を撮影前に確認することが出来る。そのため、さらに利便性が向上した撮像装置を提供することが出来る。
【００８０】
なお、表示する撮影条件はシャッタ速度に限るものではなく、例えば絞り値等、撮影時に設定可能な他の設定条件であってもよい。その場合、異なる撮影条件の表示画面を選択スイッチ１９２等のスイッチの操作で切り替えるか、あるいは表示する撮影条件予め選択するようにしてもよい。この場合を考慮して、表示する撮影条件を絞り値とした場合の撮影条件表示画面の構成を、本実施例の変形例として以下に示す。
【００８１】
［変形例１］
以下、図９を参照して、本発明の第１の実施例の第１の変形例について説明する。
図９は、本変形例に係わる表示部１７０の撮影条件決定エリア６２０を示す図である。なお、第１の実施例と同様なものには、同じ符号を付し、その説明を省略する。また、撮像装置の構成およびその撮影動作のフローチャートの処理動作の流れは、図７においてＳ７３０、７３１、７４０、７４１が絞り値に対する判定処理となる他は変更がない。また、上述したように、本変形例では、表示対象とする各結像光学系１１１ａ、１１２ａ、１１３ａ、１１４ａの撮影条件を、光学系の絞り値とする。
【００８２】
図９において、第１の実施例と異なるのは、所定の焦点距離に対応した撮像条件の設定値を表わすインジケータの複数表示（図６の６２２）と、結果インジケータ（同６２３）の表示位置である。最初に、結果インジケータについて説明する。
【００８３】
本変形例では、第１の実施例のように、各結像光学系の焦点距離の表示６２１に対応付けて結果インジケータを表示するのではなく、結像光学系１１１ｂの焦点距離の表示６２１ｂと表示６２１ｃとの間に表示する。また、本変形例の結果インジケータ９４０は、２種の表示が対になっている。本変形例で変更する撮影条件が絞り値であることから、被写体の明るさが明るくなる撮影結果を示唆する結果インジケータ９４０ａと、被写体の明るさが暗くなる撮影結果を示唆する結果インジケータ９４０ｂとを表示する。これにより、インジケータ６２２を結果インジケータ９４０ａの方に操作して絞り値を変更すると、撮影される被写体画像は明るくなり、逆の場合は暗くなることをユーザに示唆することが可能となる。
【００８４】
２種の結果インジケータ９４０ａと９４０ｂは対として共に表示される構成とし、また表示位置は、結像光学系１１１ａ、１１２ａ、１１３ａ、１１４ａの焦点距離の表示６２１の略中央にする。これは、絞り値の設定を変更して撮影した時は、結像光学系によらず被写体の明るさが変わり、また、各結像光学系に共通に撮影結果を示唆していることをユーザーに認識させるためである。
【００８５】
なお、これに限らず、例えば後述するように、特定の結像光学系の撮影条件を変更する際に、その結像光学系の焦点距離の表示（６２１ａ〜６２１ｄのいずれか）の近傍に結果インジケータ９４０を表示しても良い。
【００８６】
次に、設定されている絞り値を表わすインジケータ６２２について説明する。
【００８７】
図９において、第１の実施例と異なり、撮影条件を設定するためのインジケータ６２２の内、結像光学系１１４ａのインジケータ６２２ｄの位置に、２種類のインジケータ９２２ｆと９２２ｇを表示する。そのうち、インジケータ９２２ｆを、各結像光学系に共通に設定されている絞り値（例えば、Ｆ３．５）の位置に表示する。これは、結像光学系１１４ａの光学系や結像光学系１１４ａに含まれる不図示の絞りの開口径により、絞り値Ｆ２．８が設定不可である（操作できない）ことを示すためである。さらに、インジケータ９２２ｆの表示形態を、インジケータ６２２ａ〜６２２ｃ（及び６２２ｄ）とは異ならせる（図９では、インジケータ９２２ｆの外周を破線とする）。これにより、ユーザーは、インジケータ９２２ｆがインジケータ６２２ａ〜６２２ｃとは異なり、スイッチによって操作できないことを容易に認識することが出来る。
【００８８】
また、表示部１７０の表面を直接操作することで撮影条件の設定を変更できる構成である場合は、インジケータ９２２ｆをユーザーが直接操作しようとしても、撮影条件決定エリア６２０内の表示位置から動かない設定にする。他方、インジケータ３２２ａ〜３２２ｃについては、第１の実施例と同様に、ユーザーが直接操作した場合には、操作位置に従って結像光学系１１１ａ〜１１３ａの撮影条件である絞り値を変更できる設定にする。これによって、インジケータ９２２ｆが操作出来ないものであること、つまり、撮影条件としては設定出来ないということをユーザーに知らしめることが出来き、撮像装置の利便性を高めることができる。
【００８９】
一方、インジケータ９２２ｇは、結像光学系１１４ａの光学系や結像光学系１１４ａに含まれる不図示の絞りの開口径により、結像光学系１１４ａの開放絞り値の最大値（本変形例では、Ｆ５．６）であることを示している。またインジケータ９２２ｇは、インジケータ６２２ａ〜６２２ｃと同様、ユーザーが選択スイッチ１９２及び決定スイッチ１９３を用いて操作可能に設定する。前述のように、表示部１７０の表面を直接操作する場合においても、インジケータ９２２ｇを操作可能に設定する。これにより、結像光学系１１４ａの撮影条件である絞り値の変更を可能にする。さらにインジケータ９２２ｇの表示形態を、インジケータ６２２ａ〜６２２ｃ（及び６２２ｄ）と異ならせる（図９では、インジケータ９２２ｇの内側を塗りつぶしている）。これにより、ユーザーは、インジケータ９２２ｇがインジケータ６２２ａ〜６２２ｃ及び６２２ｆとは異なることを容易に認識でき、撮像装置の利便性を高められる。
【００９０】
上述した本変形例の構成では、所定の焦点距離に対応した撮像条件の設定値を表わすインジケータの複数表示として、所定の焦点距離について設定できない撮影条件の値に関する表示と設定可能な値の上限に関する表示の組とする。これにより、ユーザーはインジケータ６２２ａ〜６２２ｃ及び９２２ｇを操作することで、設定不可な絞り値と最大開放絞り値を認識しながら結像光学系１１１ａ〜１１４ａの撮影条件を個別に変更／設定することが可能となる。また、インジケータ６２２ａ〜６２２ｃ及び９２２ｇを操作する際には、結果インジケータ９４０が表示されていることによって、ユーザーは撮影条件を変更した時の撮影結果を撮影前に確認することが出来る。
【００９１】
なお、本変形例においても、第１の実施例同様、結果インジケータ９４０が各結像光学系１１１ａ〜１１４ａに対応する位置にそれぞれ表示されている構成でも良い。その場合には、第１の実施例で説明したのと同様な効果が得られることは言うまでもない。また、第１の実施例でも言及したように、第１の実施例でのシャッタ速度の表示画面と本変形例の絞り値の表示画面を選択的に表示できる表示制御構成としてもよい。
【００９２】
以上に説明したように、複数の焦点距離の光学像を同時に撮像する撮像装置において、各光学像の撮像のために設定されている撮影条件を撮影条件表示画面に表示可能にすることで、利便性が向上した撮像装置の提供が可能となる。特に、結果インジケータ９４０ａ及び９４０ｂが表示されているので、インジケータ６２２ａ〜６２２ｃ及び９２２ｇを結果インジケータ９４０ａ、９４０ｂのいずれかの方向に変更した場合に、撮影結果の変化の仕方を撮影前に確認することが出来る。従って、利便性が向上した撮像装置を提供することが出来る。
【００９３】
［変形例２］
以下、図１０を参照して、上記第１の変形例の更なる変形例を第２の変形例として説明する。
【００９４】
図１０は、表示部１７０の撮影条件決定エリア６２０を示したものである。なお、第１の実施例と同様の要素は、同じ符号を付して示し、その説明を省略する。また、撮像装置の構成およびその撮影動作のフローチャートの処理動作の流れは、図７においてＳ７３０、７３１、７４０、７４１が絞り値に対する判定処理となる他は変更がない。また、第１の変形例と同様に、各結像光学系１１１ａ、１１２ａ、１１３ａ、１１４ａの撮影条件として表示するのは、光学系の絞り値とする。
【００９５】
図１０において、第１の変形例と異なるのは、撮影条件を設定するためのインジケータ６２２の内、結像光学系１１４ａのインジケータ６２２ｄの位置に、２種類のインジケータ１０２２ｈと１０２２ｊを表示することである。
【００９６】
インジケータ１０２２ｈは、インジケータ１０２２ｆ同様、各結像光学系に共通に設定されている絞り値（例えば、Ｆ３．５）の位置に表示される。これは、第１の変形例と同様に、結像光学系１１４ａの光学系や結像光学系１１４ａに含まれる不図示の絞りの開口径により、絞り値Ｆ２．８が設定不可であることを示すためである。しかしこの場合、インジケータ１０２２ｈがインジケータ９２２ｆと異なるのは、インジケータ１０２２ｈを操作可能に設定することである。これにより、ユーザーが選択スイッチ１９２及び決定スイッチ１９３を用いるか、あるいは、表示部１７０の表面を直接操作してインジケータ１０２２ｈを操作し、結像光学系１１４ａの撮影条件である絞り値を変更することを可能とする。
【００９７】
この場合、本変形例では、結像光学系１１４ａの最大開放絞り値よりも大きな値（例えば、図１０（ｂ）に示すＦ８．０）に変更すると、インジケータ１０２２ｈの表示形態が１０２２ｋに変わり、他のインジケータ６２２ｃと同じ表示形態となる。これにより、結像光学系１１４ａの撮影条件である絞り値を、最大開放絞り値から変更出来るようになったことをユーザーが認識でき、撮像装置の利便性を向上させることができる。また、インジケータ１０２２ｈが操作されたときにその表示形態を変更することで、操作により変更された絞り値が結像光学系１１４ａの最大開放絞り値よりも大きいのか小さいのかを視覚的に識別することが可能となる。
【００９８】
一方、インジケータ１０２２ｊは、インジケータ１０２２ｇと同様、結像光学系１１４ａの光学系や結像光学系１１４ａに含まれる不図示の絞りの開口径により、結像光学系１１４ａの最大開放絞り値（本変形例では、Ｆ５．６）を示している。インジケータ１０２２ｊがインジケータ９２２ｇと異なるのは、インジケータ１０２２ｊをユーザーが直接操作しようとしても、インジケータ１０２２ｊが、撮影条件決定エリア６２０内に配設された位置から動かない設定とすることである。
【００９９】
つまり、結像光学系１１４ａの光学系や結像光学系１１４ａに含まれる不図示の絞りの開口径により、結像光学系１１４ａの最大開放絞り値は決まっているので、ユーザーが変更することは出来ない。よってインジケータ１０２２ｊをユーザーが操作出来ないように設定することで、最大開放絞り値が変更出来ないことをユーザーに知らせ、撮像装置の利便性を向上させる。
【０１００】
上述した本変形例でも、第１の変形例と同様の技術的効果が得られる。
【０１０１】
なお、本発明では撮像装置１００がレンズと一体化しているカメラあるとしたが、これに限定せず、レンズが着脱可能であっても上記で説明したのと同様な技術的効果が得られることは言うまでもない。
【０１０２】
本発明の目的は、前述した実施形態の機能を実現するソフトウェアのプログラムコードを記録した記憶媒体を、システム或いは装置に供給することによっても達成される。すなわち、そのシステム或いは装置のコンピュータ（またはＣＰＵやＭＰＵ）が記憶媒体に格納されたプログラムコードを読み出し実行することによっても本件発明の目的が達成されることは言うまでもない。
【０１０３】
この場合、記憶媒体から読み出されたプログラムコード自体が前述した実施形態の機能を実現することになり、プログラムコード自体及びそのプログラムコードを記憶した記憶媒体は本発明を構成することになる。
【０１０４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１０５】
また、コンピュータが読み出したプログラムコードの指示に基づき、コンピュータ上で稼動しているＯＳ(基本システム或いはオペレーティングシステム)などが実際の処理の一部又は全部を行うことによっても前述した実施形態の機能が実現される。この場合も本件発明に含まれることは言うまでもない。
【０１０６】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づく処理も本件発明に含まれる。すなわち、機能拡張ボードや機能拡張ユニットに備わるＣＰＵ等がプログラムコードの指示に基づき実際の処理の一部又は全部を行って前述した実施形態の機能を実現する場合も本件発明に含まれることは言うまでもない。
【０１０７】
上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図１】
2015159483.tif 000003
【図２】
2015159483.tif 000004
【図３】
2015159483.tif 000005
【図４】
2015159483.tif 000006
【図５】
2015159483.tif 000007
【図７】
2015159483.tif 000008
【図６】
2015159483.tif 000009
【図８】
2015159483.tif 000010
【図９】
2015159483.tif 000011
【図１０】
2015159483.tif 000012